(57)【要約】【課題】  スピニングリールのマスターギアにおいて、回転支持部の強度を高く維持しながら、軸受の損傷を防止する。【解決手段】  マスターギア７は、ハンドル軸部１ａがねじ込まれる軸部７ａと、軸部７ａの外周部に設けられピニオンギア９に噛み合う歯部７ｃを有するギア部７ｂと、ギア部７ｂの正面側から離反した軸部７ａの端部外周部に配置された第１回転支持部７ｆと、第１回転支持部７ｆの外周側かつ第１ボス部１１ａの内周側に配置された第１軸受１５ａと、第１回転支持部７ｆより大径となる位置でギア部７ｂの背面側に近接して配置された第２回転支持部７ｇと、第２回転支持部７ｇの外周側かつ第２ボス部１２ａの内周側に配置された第２軸受１５ｂとを備えている。【選択図】      図４
2006204152.tif 000002
【特許請求の範囲】
【請求項１】
スピニングリールのリール本体に回転自在に支持され、ピニオンギアを介してハンドルの回転をロータに伝達するためのスピニングリールのマスターギアであって、
前記ハンドルが相対回転不能に装着され、前記リール本体に回転自在に設けられた筒状の軸部と、
前記軸部の外周部に設けられ、正面側に前記ピニオンギアに噛み合う歯部を有するギア部と、
前記ギア部から離反した前記軸部の端部外周部に配置され、前記リール本体に回転自在に支持される第１回転支持部と、
前記第１回転支持部より大径となる位置で前記ギア部の背面側に近接して配置され、前記リール本体に回転自在に支持される第２回転支持部と、
を備えたスピニングリールのマスターギア。
【請求項２】
前記第１回転支持部と前記リール本体との間に装着された第１軸受と、前記第２回転支持部と前記リール本体との間に装着された第２軸受とをさらに備えている、請求項１に記載のスピニングリールのマスターギア。
【請求項３】
前記第２軸受は、前記第２回転支持部の外周側かつ前記リール本体の内周側に配置されている、請求項２に記載のスピニングリールのマスターギア。
【請求項４】
前記第２軸受は、前記第２回転支持部の内周側かつ前記リール本体の外周側に配置されている、請求項２に記載のスピニングリールのマスターギア。
【請求項５】
前記第２回転支持部は、前記歯部の背面側の近傍に設けられている、請求項１から４のいずれか１項に記載のスピニングリールのマスターギア。
【請求項６】
前記第２回転支持部は、前記ギア部の背面側から軸方向外方に突出する筒状部材である、請求項１から５のいずれか１項に記載のスピニングリールのマスターギア。
【請求項７】
前記第２回転支持部は、前記ギア部と一体成形されている、請求項１から６のいずれか１項に記載のスピニングリールのマスターギア。
【請求項８】
前記第２回転支持部は、前記ギア部と別体で形成されている、請求項１から６のいずれか１項に記載のスピニングリールのマスターギア。
【請求項９】
前記第２回転支持部は、前記軸部と一体成形されている、請求項１から８のいずれか１項に記載のスピニングリールのマスターギア。
【請求項１０】
前記第２回転支持部は、前記軸部と別体で形成されている、請求項１から８のいずれか１項に記載のスピニングリールのマスターギア。
【請求項１１】
前記ギア部は、前記軸部と一体成形されている、請求項１から１０のいずれか１項に記載のスピニングリールのマスターギア。
【請求項１２】
前記ギア部は、前記軸部と別体で形成されている、請求項１から１０のいずれか１項に記載のスピニングリールのマスターギア。
【請求項１３】
前記軸部は、前記ギア部の背面側と一体成形された第１軸部と、前記第１軸部と同心になるように配置され前記ギア部の正面側と別体で形成された第２軸部とを有している、請求項１から１０のいずれか１項に記載のスピニングリールのマスターギア。
【発明の詳細な説明】
【技術分野】
【０００１】
本発明は、マスターギア、特に、スピニングリールのリール本体に回転自在に支持され、ピニオンギアを介してハンドルの回転をロータに伝達するためのスピニングリールのマスターギアに関する。
【背景技術】
【０００２】
一般に、スピニングリールは、釣竿に装着されるリール本体と、リール本体に回転自在に支持されたロータと、ロータの前方に設けられ外周に釣り糸が巻き付けられるスプールとを有している。ロータは、スプール軸の外周側に設けられたピニオンギアと一体で回転する。スプールは、ピニオンギアに噛み合う中間ギアを有するオシレーティング機構により前後に往復移動させられる。ピニオンギアは、ピニオンギアと食い違う軸部を有するマスターギアに噛み合い、ハンドルの回転により回転する。
【０００３】
マスターギアは、ピニオンギアに噛み合うフェースギアであって、ハンドルが回転不能に装着される軸部と、軸部の中央部から一端側にやや偏倚した外周部に大径に形成されピニオンギアに噛み合うギア部とを有している。軸部は、筒状の部材であり、軸部の両端部外周は、軸受によってリール本体に回転自在に支持されている（たとえば、特許文献１参照）。このようなマスターギアでは、軸部は、ギア部から離反した一端部外周に配置された第１軸受と、ギア部の背面側に近接した他端部外周に配置された第２軸受によってリール本体に回転自在に支持されている。
【特許文献１】特開２０００−８３５３１号公報
【発明の開示】
【発明が解決しようとする課題】
【０００４】
前記従来のマスターギアは、軸部は、ギア部から離反した一端部外周に配置された第１軸受と、ギア部の背面側に近接した他端部外周に配置された第２軸受によってリール本体に回転自在に支持されている。このようなマスターギアでは、第２軸受はギア部の背面側に近接して配置されているので、ギア部に大きな力が作用すると、第１軸受に作用する力に比して第２軸受に大きな力が作用しやすい。また、第２軸受は第１軸受と略同径となる位置にギア部より小径になるように設けられているので、第２軸受とギア部との径差が大きくなっている。このように第２軸受とギア部との径差が大きくなると、第２軸受に作用する力が大きくなるので、第２軸受支持部分の強度が低下するとともに、第２軸受が損傷するおそれが生じる。
【０００５】
本発明の課題は、スピニングリールのマスターギアにおいて、回転支持部の強度を高く維持しながら、軸受の損傷を防止することにある。
【課題を解決するための手段】
【０００６】
発明１に係るスピニングリールのマスターギアは、スピニングリールのリール本体に回転自在に支持されピニオンギアを介してハンドルの回転をロータに伝達するためのスピニングリールのマスターギアであって、ハンドルが相対回転不能に装着されリール本体に回転自在に設けられた筒状の軸部と、軸部の外周部に設けられ正面側にピニオンギアに噛み合う歯部を有するギア部と、ギア部から離反した軸部の端部外周部に配置されリール本体に回転自在に支持される第１回転支持部と、第１回転支持部より大径となる位置でギア部の背面側に近接して配置されリール本体に回転自在に支持される第２回転支持部とを備えている。
【０００７】
このマスターギアでは、ギア部の背面側に近接した軸部の端部外周側に配置された第２回転支持部は、ギア部から離反した軸部の端部外周部に配置された第１回転支持部より大径となる位置に設けられている。ここでは、ギア部の背面側に近接した第２回転支持部は、第１回転支持部より大径となる位置に設けられているので、従来のように第２回転支持部が第１回転支持部と略同径となる位置に設けられている場合に比して、第２回転支持部とギア部との径差が小さくなる。第２回転支持部とギア部との径差が小さくなると、第２回転支持部に作用する力が小さくなるので、第２回転支持部の強度を高く維持しながら、たとえば第２回転支持部に装着された軸受の損傷を防止することができる。
【０００８】
発明２に係るマスターギアは、発明１のマスターギアにおいて、第１回転支持部とリール本体との間に装着された第１軸受と、第２回転支持部とリール本体との間に装着された第２軸受とをさらに備えている。この場合、第２回転支持部に装着された第２軸受に作用する力が小さくなるので、第２軸受の損傷を防止できる。
【０００９】
発明３に係るマスターギアは、発明２のマスターギアにおいて、第２軸受は、第２回転支持部の外周側かつリール本体の内周側に配置されている。この場合、第２軸受のマスターギアへの装着が容易になる。
【００１０】
発明４に係るマスターギアは、発明２のマスターギアにおいて、第２軸受は、第２回転支持部の内周側かつリール本体の外周側に配置されている。この場合、第２軸受のリール本体への装着が容易になる。
【００１１】
発明５に係るマスターギアは、発明１から４のいずれかのマスターギアにおいて、第２回転支持部は、歯部の背面側の近傍に設けられている。この場合、ギア部に最も大きな力が作用する歯部と第２回転支持部との径差がより小さくなるので、第２回転支持部に作用する力がより小さくなる。
【００１２】
発明６に係るマスターギアは、発明１から５のいずれかのマスターギアにおいて、第２回転支持部は、ギア部の背面側から軸方向外方に突出する筒状部材である。この場合、第２回転支持部は内部に肉盗みを有する筒状部材であるので、肉盗みの分だけリール全体を軽量化できる。
【００１３】
発明７に係るマスターギアは、発明１から６のいずれかのマスターギアにおいて、第２回転支持部は、ギア部と一体成形されている。この場合、第２回転支持部の強度を高く維持できる。
【００１４】
発明８に係るマスターギアは、発明１から６のいずれかのマスターギアにおいて、第２回転支持部は、ギア部と別体で形成されている。この場合、第２回転支持部の形成が容易になる。
【００１５】
発明９に係るマスターギアは、発明１から８のいずれかのマスターギアにおいて、第２回転支持部は、軸部と一体成形されている。この場合、第２回転支持部の強度を高く維持できる。
【００１６】
発明１０に係るマスターギアは、発明１から８のいずれかのマスターギアにおいて、第２回転支持部は、軸部と別体で形成されている。この場合、第２回転支持部の形成が容易になる。
【００１７】
発明１１に係るマスターギアは、発明１から１０のいずれかのマスターギアにおいて、ギア部は、軸部と一体成形されている。この場合、たとえば第２回転支持部、ギア部及び軸部を一体成形することにより、第２回転支持部の強度をさらに持できる。
【００１８】
発明１２に係るマスターギアは、発明１から１０のいずれかのマスターギアにおいて、ギア部は、軸部と別体で形成されている。この場合、ギア部と軸部とを異なる材質の部材によって形成することができろとともに、ギア部の形成が容易になる。
【００１９】
発明１３に係るマスターギアは、発明１から１０のいずれかのマスターギアにおいて、軸部は、ギア部の背面側と一体成形された第１軸部と、第１軸部と同心になるように配置されギア部の正面側と別体で形成された第２軸部とを有している。この場合、第１軸部と第２部とを異なる材質の部材や異なる径の部材で形成できる。
【発明の効果】
【００２０】
本発明によれば、スピニングリールのマスターギアにおいて、ギア部の背面側に近接した軸部の端部外周側に配置された第２回転支持部は、ギア部の正面側から離反した軸部の端部外周部に配置された第１回転支持部より大径となる位置に設けられているので、回転支持部の強度を高く維持しながら、軸受の損傷を防止することができる。
【発明を実施するための最良の形態】
【００２１】
本発明の一実施形態によるスピニングリールは、図１から図３に示すように、ハンドル１を有し、釣竿に装着されるリール本体２と、リール本体２の前部に回転自在に装着されたロータ３と、ロータ３の前部に配置された前後移動するスプール４とを主に備えている。また、スピニングリールは、ハンドル１の回転に連動してロータ３を回転駆動するロータ駆動機構５と、ロータ３の回転に連動してスプール４を前後移動させるオシレーティング機構６とを備えている。
【００２２】
リール本体２は、内部にロータ駆動機構５とオシレーティング機構６とを収納している。リール本体２は、図１から図３に示すように、両側が開口する筐体部１０と、筐体部１０の両側をそれぞれ塞ぐ第１蓋部１１及び第２蓋部１２と、筐体部１０に一体形成された竿取付部１３と、筐体部１０、第１蓋部１１及び第２蓋部１２を後方から覆うカバー部材１４とを有している。第１蓋部１１及び第２蓋部１２は、図２に示すように、それぞれ側部外方及び内方に略円筒状に突出し、後述するマスターギア７を回転自在に支持する第１ボス部１１ａ及び第２ボス部１２ａが形成されている。
【００２３】
ロータ駆動機構５は、ハンドル１のハンドル軸部１ａがねじ込み固定されるマスターギア７と、マスターギア７と噛み合うピニオンギア９とを備えている。
【００２４】
オシレーティング機構６は、図２及び図３に示すように、ピニオンギア９に噛み合う減速機構２０と、減速機構２０に連動して回転する螺軸２１と、螺軸２１に係合して前後に往復移動するスライダ２２と、スライダ２２をスプール軸１６方向に案内する２本のガイド軸２３ａ、２３ｂを有している。
【００２５】
マスターギア７は、図２及び図４に示すように、ハンドル軸部１ａがねじ込まれる軸部７ａと、軸部７ａの外周部に軸部７ａと別体で設けられピニオンギア９に噛み合う歯部７ｃを有するギア部７ｂとを備えている。マスターギア７は、ギア部７ｂの正面側から離反した軸部７ａの端部外周部に配置された第１回転支持部７ｆと、第１回転支持部７ｆの外周側かつ第１ボス部１１ａの内周側に配置された第１軸受１５ａと、第１回転支持部７ｆより大径となる位置でギア部７ｂの背面側に近接してに配置された第２回転支持部７ｇと、第２回転支持部７ｇの外周側かつ第２ボス部１２ａの内周側に配置された第２軸受１５ｂとをさらに備えている。
【００２６】
軸部７ａは、図２に示すように、第１ボス部１１ａ及び第２ボス部１２ａの内周側に装着された第１軸受１５ａ及び第２軸受１５ｂによって、リール本体２に回転自在に装着された筒状部材である。軸部７ａは、たとえば切削加工によって形成された金属製部材である。また、軸部７ａの両端内周部には、ハンドル軸部１ａがねじ込み可能な雌ねじ部７ｄ、７ｅがそれぞれ形成されている。雌ねじ部７ｄ、７ｅは、ハンドル１を糸巻取方向に回転したときねじが締まる方向のねじである。したがって、図２左側の雌ねじ部７ｄは左ねじであり、右側の雌ねじ部７ｅは右ねじである。なお、ハンドル１は、図１及び図３に示す左位置と図２に示す右位置との軸部７ａの両端のいずれにも装着可能である。しかし、雌ねじ部７ｄ、７ｅのねじ方向が異なるため、ハンドル軸部１ａを左右に取り付ける場合、それぞれ専用のものが用意されている。なお、図２には左ハンドル用のハンドル軸部１ａが図示されている。
【００２７】
ギア部７ｂは、図２及び図４に示すように、軸部７ａの外周部に別体で設けられた円板状部材であり、ピニオンギア９に噛み合う歯部７ｃを有するフェースギアである。ギア部７ｂは、たとえば鍛造加工やダイカスト成形によって形成された金属製部材である。ギア部７ｂは、内周部に雌ねじ部７ｉが形成されており、軸部７ａの外周部に形成された雄ねじ部７ｈをギア部７ｂの内周部に形成された雌ねじ部７ｉに螺合させることによって、ギア部７ｂを軸部７ａに固定している。
【００２８】
第１回転支持部７ｆは、図４に示すように、ギア部７ｂの正面側から離反した軸部７ａの端部外周部に設けられ、外周側に第１軸受１５ａが装着されている。第１回転支持部７ｆは、軸部７ａの他の部分の外径と略同一になるように形成されている。第１軸受１５ａは、図２に示すように、第１ボス部１１ａの内周側に配置された玉軸受である。
【００２９】
第２回転支持部７ｇは、図４に示すように、ギア部７ｂの背面側に近接した軸部７ａの端部外周側に軸部７ａの他の部分の外径より大径となるように外方に突出して一体成形された筒状部材である。第２回転支持部７ｇの外径は、第１回転支持部７ｆの外径より大径となるように形成されている。ここでは、第２ボス部１２ａの内径は、第１ボス部１１ａの内径より大径となるように形成されているので、第２軸受１５ｂは、第１軸受１５ａより大径となる位置に配置されている。ここでは、第２軸受１５ｂを第１軸受１５ａに比して大きくする必要がないので、たとえば第２軸受１５ｂの外輪を大径化することによってリール全体が大型化するのを防止できる。
【００３０】
また、第２回転支持部７ｇは、内周部に軸部７ａの端部外周側に軸部７ａの他の部分との間に空間を有している。また、第２回転支持部７ｇは、軸部７ａの外周部に形成された雄ねじ部７ｈをギア部７ｂの内周部に形成された雌ねじ部７ｉに螺合させた後に、複数のねじ部材７ｊによってギア部７ｂの背面側に固定されている。ここでは、第２回転支持部７ｇと軸部７ａとが一体成形されているので、第２回転支持部７ｇをギア部７ｂに複数のねじ部材７ｊを装着することによって、ギア部７ｂが軸部７ａに固定されている。
【００３１】
ピニオンギア９は、中空筒状の部材であり、前部がロータ３を貫通してロータ３を回転不能に装着している。ピニオンギア９の内周部には、スプール軸１６が貫通して配置されている。ピニオンギア９の前部にはナット１７が装着されており、ナット１７によりロータ３がピニオンギア９に固定されている。ピニオンギア９は、その軸方向の中間部と後端部とがそれぞれ図示しない軸受によりリール本体２の筐体部１０に回転自在に支持されている。
【００３２】
ロータ３は、釣り糸案内部が一方のロータアームにのみ装着された、いわゆるベールレスタイプのものである。ロータ３は、図３に示すように、ピニオンギア９を介してリール本体２に回転自在に装着されたロータ本体３０と、ロータ本体３０に揺動自在に装着された釣り糸案内部３１とを有している。
【００３３】
ロータ本体３０は、たとえば表面に陽極酸化被膜が形成されたマグネシウム合金製であり、筒状の支持部３２と、支持部３２の後端部外周面の対向する位置から支持部３２と間隔を隔ててそれぞれ前方に延びる第１ロータアーム３３及び第２ロータアーム３４とを有している。
【００３４】
釣り糸案内部３１は、第１ロータアーム３３の先端に装着された支持部材４１と、支持部材４１の先端に基端が固定された固定軸４２と、固定軸４２に回転自在に装着され釣り糸を案内可能なラインローラ４３と、固定軸４２の先端に設けられた固定軸カバー４４と、固定軸カバー４４の先端に設けられ釣り糸を係止する釣り糸係止部４５とを有している。
【００３５】
支持部３２は、後端から前方に向けてテーパ状に縮径した後に円筒状に形成された概ね筒状の部材である。支持部３２の前部には、前壁３２ａが形成されており、前壁３２ａの中央部にはピニオンギア９の前部が貫通するボス部３２ｂが形成されている。ボス部３２ｂは、ピニオンギア９の前部に回転不能に装着されている。前壁３２ａの前部でピニオンギア９の前部にはナット１７がねじ込まれており、このナット１７によりロータ３がピニオンギア９に固定されている。また、支持部３２の前部には、スプール軸１６への釣り糸の巻き付きを防止するための筒状の糸噛み防止部材３５が装着されている。
【００３６】
第１ロータアーム３３の先端には、釣り糸案内部３１が糸巻取姿勢と糸開放姿勢とに揺動自在に装着されている。第１ロータアーム３３の内部には、釣り糸案内部３１の揺動に連動して動作する連動機構４０が装着されている。第１ロータアーム３３の径方向外周側は第１カバー部材３６により覆われている。
【００３７】
第２ロータアーム３４は、第１ロータアーム３３と同様に前方に延びており、径方向外周側は、第２カバー部材３７により覆われている。第２ロータアーム３４は、ロータ３の回転バランスをとるために設けられたものである。
【００３８】
ロータ３は、図３に示すように、逆転防止機構５０により糸繰り出し方向の回転を禁止・解除可能である。逆転防止機構５０は、筐体部１０に装着されたローラ型のワンウェイクラッチ５１を有している。ワンウェイクラッチ５１は、逆転禁止状態と逆転可能状態とに切換可能である。逆転防止機構５０は、ワンウェイクラッチ５１を逆転禁止状態と逆転可能状態とに切り換える切換操作部５２をさらに有している。
【００３９】
スプール４は、スプール軸１６に対して複数の回転位相で装着可能であり、仕掛けの垂らし長さを変更可能になっている。スプール４は、図３に示すように、浅溝形のものであり、外周に釣り糸が巻き付けられる糸巻き胴部４ａと、糸巻き胴部４ａの後端部に糸巻き胴部４ａより大径に形成された筒状のスカート部４ｂと、糸巻き胴部４ａの先端部に糸巻き胴部４ａより僅かに大径に形成された前フランジ部４ｃとを備えている。
【００４０】
次にスピニングリールの動作について説明する。
なお、動作の説明では右手でキャスティングする場合を説明する。キャスティングの際には、釣り糸案内部３１を糸巻取姿勢にして釣り糸を釣り糸案内部３１に引っ掛けた状態にして仕掛けの垂らし長さを調整する。
【００４１】
まずハンドル１を糸巻取方向に回してスプール４をストロークの最先端近くに配置した状態で釣り糸案内部３１が所定の回転位相となるようにする。具体的には、釣り糸案内部３１の操作のしやすさや釣り糸のつまみやすさを考慮し、たとえば、右手でキャスティングするときには釣り糸案内部３１を釣竿側から見てスプール４の左側に配置すると釣り糸案内部３１を左手で操作しやすい。この状態で左手（釣竿を持つ手の逆の手）の指先で釣り糸案内部３１の固定軸カバー４４をつまんで釣り糸案内部３１を糸開放姿勢に揺動させる。そして、スプール４に巻き付けられた釣り糸を、左手で摘んで釣竿を右手の人差し指で引っ掛けてキャスティングする。
【００４２】
キャスティングが終わると、左手で釣り糸案内部３１を糸開放姿勢から糸巻取姿勢に戻し、左手で釣り糸をつまんで釣り糸案内部３１の釣り糸係止部４５に係止する。釣り糸係止部４５に係止された釣り糸は、固定軸カバー４４を通ってラインローラ４３に案内される。この状態でハンドル１を糸巻取方向に僅かに回転させて釣り糸にわずかにテンションをかけて置き竿する。
【００４３】
仕掛けに獲物がかかってハンドル１を回すとロータ３が糸巻取方向に回転するとともにスプール４が前後移動する。同時に、ハンドル１の回転は軸部７ａを介してマスターギア７に伝達され、ピニオンギア９を介してロータ３が回転する。また、ピニオンギア９から減速機構２０を介してオシレーティング機構６が動作してスプール４が前後移動する。
【００４４】
このスピニングリールのマスターギア７では、ギア部７ｂの背面側に近接した第２回転支持部７ｇは、第１回転支持部７ｆより大径となる位置に設けられている。このため、従来のように第２回転支持部７ｇが第１回転支持部７ｆと略同径となる位置に設けられている場合に比して、第２回転支持部７ｇとギア部７ｂとの径差が小さくなる。このように第２回転支持部７ｇとギア部７ｂとの径差が小さくなると、第２回転支持部７ｇに作用する力が小さくなる。したがって、第２回転支持部７ｇの強度を高く維持しながら、第２回転支持部１０７ｇに装着された第２軸受１５ｂの損傷を防止することができる。
【００４５】
〔他の実施形態〕
（ａ）  前記実施形態では、ベールレスタイプのスピニングリールであったが、第１ロータアームと第２ロータアームとの間にベールを有するスピニングリールであってもよい。また、前記実施形態のスピニングリールは、フロントドラグ式のスピニングリールを例に説明したが、リアドラグ式のスピニングリールやレバーブレーキ式のスピニングリールなどの全ての形式のスピニングリールに本発明を適用できる。
【００４６】
（ｂ）  前記実施形態では、第２回転支持部７ｇは、軸部７ａと一体成形されていたが、図５及び図８に示すように、第２回転支持部７ｇとギア部７ｂとを一体成形する構成にしてもよい。また、図９から図１１に示すように、第２回転支持部７ｇと軸部７ａ及びギア部７ｂとをそれぞれ別体で形成してもよい。
【００４７】
この場合、図９及び図１０に示すように、複数のねじ部材７ｊを用いてギア部７ｂの正面側に第２回転支持部７ｇを固定してもよいし、図１１に示すように、軸部７ａの外周部に形成された雄ねじ部７ｈを第２回転支持部７ｇの内周部に形成された雌ねじ部７ｋに螺合させて固定するようにしてもよい。
【００４８】
また、前記実施形態では、軸部７ａは、ギア部７ｂと別体で設けられていたが、図１０及び図１１に示すように、軸部７ａ及びギア部７ｂを一体成形する構成にしてもよい。さらに、図１２に示すように、軸部７ａ、ギア部７ｂ及び第２回転支持部７ｇの全体を一体成形する構成にしてもよい。
【００４９】
（ｃ）  前記実施形態では、ギア部７ｂは、軸部７ａの外周部に形成された雄ねじ部７ｈをギア部７ｂの内周部に形成された雌ねじ部７ｉに螺合させ、さらに複数のねじ部材７ｊによってギア部７ｂの背面側から固定していたが、図５に示すように、複数のねじ部材７ｊのみを用いてギア部７ｂの正面側から固定してもよい。また、図８に示すように、雄ねじ部７ｈを雌ねじ部７ｉに螺合させることのみで、ギア部７ｂを固定するようにしてもよい。
【００５０】
（ｄ）  前記実施形態では、軸部７ａは、ギア部７ｂと別体で設けられていたが、図５に示すように、ギア部７ｂの背面側と一体成形された第１軸部７ｌと、第１軸部７ｌと同心になるように配置されギア部７ｂの正面側と別体で形成された第２軸部７ｍとで軸部７ａを構成し、軸部７ａ及びギア部７ｂが部分的に一体成形された構成にしてもよい。
【００５１】
（ｅ）  前記実施形態では、第２軸受１５ｂは、第２回転支持部７ｇの外周側かつ第２ボス部１２ａの内周側に配置されていたが、図６に示すように、第２回転支持部７ｇの内周側かつ第２ボス部１２ａの外周側に第２軸受１５ｂを配置するようにしてもよい。また、図７に示すように、歯部７ｃの背面側に近傍するように第２回転支持部７ｇを配置するようにしてもよい。
【００５２】
（ｆ）  前記実施形態では、第１回転支持部７ｆ及び第２回転支持部７ｇは、ギア部７ｂの正面側及び背面側の両側にそれぞれ配置されていたが、図１３に示すように、ギア部１０７ｂの背面側に第１回転支持部１０７ｆ及び第２回転支持部１０７ｇを設け、片持ち支持する構成にしてもよい。具体的には、前記実施形態では、第１回転支持部７ｆは、ギア部７ｂ正面側から離反した軸部７ａの端部に配置されていたが、第１回転支持部１０７ｆは、ギア部１０７ｂ背面側から離反した図示しない筒状部材の端部に配置されている。
【００５３】
ここでは、前記実施形態と同様に、ギア部１０７ｂの背面側に近接した第２回転支持部１０７ｇは、第１回転支持部１０７ｆより大径となる位置に設けられているので、第２回転支持部１０７ｇの強度を高く維持しながら、第２回転支持部１０７ｇに装着された第２軸受１１５ｂの損傷を防止できる。なお、図１３における符号は、前記実施形態における同一の部材の符号に１００を付加したものであり、各部材の構成は前記実施形態と同一であるから、各部材の詳細な説明は省略する。
【図面の簡単な説明】
【００５４】
【図１】本発明の一実施形態を採用したスピニングリールの側面図。
【図２】前記スピニングリールの背面断面図。
【図３】前記スピニングリールの側面断面図。
【図４】前記スピニングリールのマスターギアの断面図。
【図５】他の実施形態の図４に相当する図。
【図６】他の実施形態の図４に相当する図。
【図７】他の実施形態の図４に相当する図。
【図８】他の実施形態の図４に相当する図。
【図９】他の実施形態の図４に相当する図。
【図１０】他の実施形態の図４に相当する図。
【図１１】他の実施形態の図４に相当する図。
【図１２】他の実施形態の図４に相当する図。
【図１３】他の実施形態を採用したスピニングリールの側面断面図。
【符号の説明】
【００５５】
１、１０１  ハンドル
１ａ、１０１  ハンドル軸部
２、１０２  リール本体
３、１０３  ロータ
４、１０４  スプール
７、１０７  マスターギア
７ａ、１０７ａ  軸部
７ｂ、１０７ｂ  ギア部
７ｃ  歯部
７ｆ、１０７ｆ  第１回転支持部
７ｇ、１０７ｇ  第２回転支持部
７ｈ  雄ねじ部
７ｉ  雌ねじ部
７ｊ  ねじ部材
７ｋ  雌ねじ部
７ｌ  第１軸部
７ｍ  第２軸部
９  ピニオンギア
１１  第１蓋部
１１ａ、１１１ａ  第１ボス部
１２  第２蓋部
１２ａ、１１２ａ  第２ボス部
１５ａ、１１５ａ  第１軸受
１５ｂ、１１５ｂ  第２軸受
１１３ａ  第１ボス部
１１３ｂ  第２ボス部
【図１】
2006204152.tif 000003
【図２】
2006204152.tif 000004
【図３】
2006204152.tif 000005
【図４】
2006204152.tif 000006
【図５】
2006204152.tif 000007
【図６】
2006204152.tif 000008
【図７】
2006204152.tif 000009
【図８】
2006204152.tif 000010
【図９】
2006204152.tif 000011
【図１０】
2006204152.tif 000012
【図１１】
2006204152.tif 000013
【図１２】
2006204152.tif 000014
【図１３】
2006204152.tif 000015